(57)【要約】【課題】燃焼運転が行われている燃焼系統と、燃焼運転が行われていない燃焼系統とがある場合に、燃焼運転が行われていない燃焼系統における流体流路の凍結を防止する。【解決手段】一方の燃焼系統４０で燃焼運転が行われ、他方の燃焼系統３０で燃焼運転が行われていないとき、他方の燃焼系統４０の流体流路の流体温度が所定の基準温度より低くなると、燃焼運転が行われている燃焼系統３０に燃焼用空気を供給する送風ファン７０の最大回転数を、最大回転数よりも低い凍結時最大回転数に制限する。【選択図】図１
2019007650.tif 000002
【特許請求の範囲】
【請求項１】
バーナを有するバーナユニット、バーナユニットで生成される燃焼排気によって流体流路を流れる流体を熱交換加熱する熱交換器、及び流体流路内を流れる流体の温度を検知する少なくとも１つの流体温度検知部を各別に有する複数の燃焼系統と、
１つまたは複数の燃焼系統のバーナユニットに燃焼用空気を供給する送風ファンと、
燃焼運転を行う燃焼系統のバーナユニットに要求される要求燃焼量に応じて送風ファンの目標回転数を所定の最大回転数以下で制御する通常燃焼制御を行う制御装置と、を備え、
燃焼運転が行われている燃焼系統のバーナユニットに燃焼用空気を供給するために送風ファンを回転させることによって、燃焼運転が行われていない他の燃焼系統にも空気が流入する熱源装置であって、
制御装置は、少なくとも１つの燃焼系統で燃焼運転が行われ、他の燃焼系統で燃焼運転が行われていないときに、燃焼運転が行われていない他の燃焼系統の流体温度検知部で検知される流体温度が所定の基準温度より低くなると、燃焼運転が行われている燃焼系統に燃焼用空気を供給する送風ファンの目標回転数を、最大回転数よりも低下させた凍結時最大回転数以下に制限する熱源装置。
【請求項２】
請求項１に記載の熱源装置は、さらに、
外気温を検知する外気温検知部を備え、
制御装置は、外気温検知部で検知される外気温が所定の凍結危険温度より低くなり、且つ燃焼運転が行われていない他の燃焼系統の流体温度検知部で検知される流体温度が所定の基準温度より低くなると、燃焼運転が行われている燃焼系統に燃焼用空気を供給する送風ファンの目標回転数を、最大回転数よりも低下させた凍結時最大回転数以下に制限する熱源装置。
【請求項３】
請求項１または２記載の熱源装置において、
複数の燃焼系統のうち少なくとも１つの燃焼系統のバーナユニットは、燃焼量範囲の異なる複数の能力段数を有し、
制御装置は、複数の能力段数を有するバーナユニットを備えた燃焼系統で燃焼運転が行われる場合、低燃焼量側の下段側燃焼量範囲と、それに隣接する高燃焼量側の上段側燃焼量範囲との間に、下段側燃焼量範囲の最大燃焼量が上段側燃焼量範囲の最小燃焼量よりも多くなるように設けられた重ね代を用いて、能力段数を切り替え制御する通常燃焼制御を行い、
複数の能力段数を有するバーナユニットを備えた燃焼系統で燃焼運転が行われ、他の燃焼系統で燃焼運転が行われていないときに、燃焼運転が行われていない他の燃焼系統における流体温度検知部で検知される流体温度が所定の第１基準温度より低くなると、燃焼運転が行われている燃焼系統のバーナユニットに燃焼用空気を供給する送風ファンの目標回転数を、最大回転数から上段側燃焼量範囲との重ね代の範囲内となる所定の低減量、低下させた凍結時最大回転数以下に制限する熱源装置。
【請求項４】
請求項１または２に記載の熱源装置において、
複数の燃焼系統のうち少なくとも１つの燃焼系統のバーナユニットは、燃焼量範囲の異なる複数の能力段数を有し、
制御装置は、複数の能力段数を有するバーナユニットを備えた燃焼系統で燃焼運転が行われる場合、低燃焼量側の下段側燃焼量範囲と、それに隣接する高燃焼量側の上段側燃焼量範囲との間に、下段側燃焼量範囲の最大燃焼量が上段側燃焼量範囲の最小燃焼量よりも多くなるように設けられた重ね代を用いて、能力段数を切り替え制御する通常燃焼制御を行い、
複数の能力段数を有するバーナユニットを備えた燃焼系統で燃焼運転が行われ、他の燃焼系統で燃焼運転が行われていないときに、燃焼運転が行われていない他の燃焼系統における流体温度検知部で検知される流体温度が所定の第２基準温度より低くなると、燃焼運転が行われている燃焼系統のバーナユニットに燃焼用空気を供給する送風ファンの目標回転数を、最大回転数よりも低い、上段側燃焼量範囲との重ね代の範囲以下の固定された凍結時最大回転数以下に制限する熱源装置。
【発明の詳細な説明】
【技術分野】
【０００１】
本発明は、複数の燃焼系統を有する熱源装置に関する。特に、本発明は、燃焼運転が行われている燃焼系統と、燃焼運転が行われていない燃焼系統とがある場合に、燃焼運転が行われていない燃焼系統における流体流路の凍結防止に関する。
【背景技術】
【０００２】
暖房機能付き給湯装置、追焚き機能付き給湯装置や、暖房及び追焚き機能付き給湯装置などの熱源装置は、バーナユニットと、流体流路を流れる水や熱媒などの流体を熱交換加熱する熱交換器とを各別に有する燃焼系統を複数、備えている。この種の熱源装置は、単一の缶体内を仕切りで複数に区画し、各区画部にバーナユニット及び熱交換器を配設させたり、各バーナユニット及び熱交換器を収容させた缶体を複数、組み合わせたりすることによって構成されている。また、これらの熱源装置では、バーナユニットに燃焼用空気を供給するための送風ファンとして、各燃焼系統に対応させた個別の送風ファンが設けられる場合や、複数の燃焼系統に共通の送風ファンが設けられる場合がある。
【０００３】
上記のような複数の燃焼系統を有する熱源装置では、冬期において、各燃焼系統の流体流路の凍結を防止するために、凍結防止運転が行われる。例えば、暖房機能付き給湯装置では、外気温を検知する外気温センサを設け、外気温が所定の凍結危険温度よりも低下すると、暖房側の燃焼系統で燃焼運転を行い、流体流路に流体を循環させるとともに、凍結防止運転の間欠休止中に、給湯側の燃焼系統で燃焼運転が行われると、暖房側の燃焼系統の流体流路に流体を循環させることにより、暖房側の燃焼系統の流体流路の凍結を防止している（例えば、特許文献１）。
【先行技術文献】
【特許文献】
【０００４】
【特許文献１】特開平１０−９５９３号公報
【発明の概要】
【発明が解決しようとする課題】
【０００５】
ところで、複数の燃焼系統を有する熱源装置は大型の装置であり、装置内で局部的な温度が異なる。それゆえ、外気温センサの設けられる位置によって、外気温に基づく凍結の可能性が各燃焼系統における流体流路の凍結の可能性と必ずしも一致しない場合がある。また、１つの燃焼系統で燃焼運転が終了してから短時間経過後に、他の燃焼系統で燃焼運転が開始される場合、外気温が凍結危険温度より低くても、燃焼運転が行われてない燃焼系統の流体流路の凍結の可能性は低い。そのため、外気温センサで検知される外気温だけでは、実際に凍結が生じやすい燃焼運転が行われていない燃焼系統における流体流路の凍結の可能性を適切に判断できないという問題がある。
【０００６】
また、単一の缶体内に複数の燃焼系統が収容されている熱源装置や、各燃焼系統が収容されている複数の缶体が１つの筐体内に設けられた熱源装置では、１つの燃焼系統で燃焼運転を行うために送風ファンを回転させると、燃焼運転が行われていない他の燃焼系統にも低温の空気が流入して、流体流路が冷却されるという問題がある。特に、強制排気式や強制給排気式の熱源装置のように複数の燃焼系統が共通の排気経路や共通の給気経路を使用するものでは、他の燃焼系統から流入する空気によって燃焼運転が行われていない燃焼系統の流体流路で凍結が生じやすい。
【０００７】
本発明は上記課題を解決するものであり、本発明の目的は、複数の燃焼系統を有する熱源装置において、燃焼運転が行われている燃焼系統と、燃焼運転が行われていない燃焼系統とがある場合に、燃焼運転が行われていない燃焼系統における流体流路の凍結を効率よく防止することにある。
【課題を解決するための手段】
【０００８】
本発明によれば、
バーナを有するバーナユニット、バーナユニットで生成される燃焼排気によって流体流路を流れる流体を熱交換加熱する熱交換器、及び流体流路内を流れる流体の温度を検知する少なくとも１つの流体温度検知部を各別に有する複数の燃焼系統と、
１つまたは複数の燃焼系統のバーナユニットに燃焼用空気を供給する送風ファンと、
燃焼運転を行う燃焼系統のバーナユニットに要求される要求燃焼量に応じて送風ファンの目標回転数を所定の最大回転数以下で制御する通常燃焼制御を行う制御装置と、を備え、
燃焼運転が行われている燃焼系統のバーナユニットに燃焼用空気を供給するために送風ファンを回転させることによって、燃焼運転が行われていない他の燃焼系統にも空気が流入する熱源装置であって、
制御装置は、少なくとも１つの燃焼系統で燃焼運転が行われ、他の燃焼系統で燃焼運転が行われていないときに、燃焼運転が行われていない他の燃焼系統の流体温度検知部で検知される流体温度が所定の基準温度より低くなると、燃焼運転が行われている燃焼系統に燃焼用空気を供給する送風ファンの目標回転数を、最大回転数よりも低下させた凍結時最大回転数以下に制限する熱源装置が提供される。
【０００９】
上記熱源装置によれば、少なくとも１つの燃焼系統で燃焼運転が行われ、他の燃焼系統で燃焼運転が行われていないときに、燃焼運転が行われていない他の燃焼系統の流体温度検知部で検知される流体温度が所定の基準温度より低いかどうかを判断するから、より的確に燃焼運転が行われていない燃焼系統の流体流路の凍結の可能性を判断できる。
【００１０】
そして、上記熱源装置によれば、燃焼運転を行うバーナユニットに要求される要求燃焼量に応じて送風ファンの目標回転数が所定の最大回転数以下で制御されており、凍結の可能性がある場合、燃焼運転が行われている燃焼系統に燃焼用空気を供給する送風ファンの目標回転数を、最大回転数よりも低下させた凍結時最大回転数以下に制限するから、送風ファンを回転させることによる燃焼運転が行われていない他の燃焼系統への空気の流入が抑えられ、他の燃焼系統の流体流路の凍結の可能性を低減できる。
【００１１】
好ましくは、上記熱源装置は、さらに、
外気温を検知する外気温検知部を備え、
制御装置は、外気温検知部で検知される外気温が所定の凍結危険温度より低くなり、且つ燃焼運転が行われていない他の燃焼系統の流体温度検知部で検知される流体温度が所定の基準温度より低くなると、燃焼運転が行われている燃焼系統に燃焼用空気を供給する送風ファンの目標回転数を、最大回転数よりも低下させた凍結時最大回転数以下に制限する。
【００１２】
上記熱源装置によれば、流体温度が基準温度より低くなるだけでなく、外気温が所定の凍結危険温度より低いかどうかも判断するから、より的確に凍結の可能性を判断できる。
【００１３】
好ましくは、上記熱源装置において、
複数の燃焼系統のうち少なくとも１つの燃焼系統のバーナユニットは、燃焼量範囲の異なる複数の能力段数を有し、
制御装置は、複数の能力段数を有するバーナユニットを備えた燃焼系統で燃焼運転が行われる場合、低燃焼量側の下段側燃焼量範囲と、それに隣接する高燃焼量側の上段側燃焼量範囲との間に、下段側燃焼量範囲の最大燃焼量が上段側燃焼量範囲の最小燃焼量よりも多くなるように設けられた重ね代を用いて、能力段数を切り替え制御する通常燃焼制御を行い、
複数の能力段数を有するバーナユニットを備えた燃焼系統で燃焼運転が行われ、他の燃焼系統で燃焼運転が行われていないときに、燃焼運転が行われていない他の燃焼系統における流体温度検知部で検知される流体温度が所定の第１基準温度より低くなると、燃焼運転が行われている燃焼系統のバーナユニットに燃焼用空気を供給する送風ファンの目標回転数を、最大回転数から上段側燃焼量範囲との重ね代の範囲内となる所定の低減量、低下させた凍結時最大回転数以下に制限する。
【００１４】
燃焼量の調整可能範囲を広げるために複数の能力段数を有するバーナユニットでは、要求燃焼量が所定の能力段数における燃焼量範囲の最大燃焼量より大きくなると、能力段数を１つ増加させる態様で燃焼運転が行われ、要求燃焼量が所定の能力段数の燃焼量範囲の最小燃焼量より小さくなると、能力段数を１つ減少させる態様で燃焼運転が行われる。そのため、低燃焼量側の下段側燃焼量範囲と、それに隣接する高燃焼量側の上段側燃焼量範囲との間に、低燃焼量側の下段側燃焼量範囲の最大燃焼量が高燃焼量側の上段側燃焼量範囲の最小燃焼量よりも多くなるように一定の重ね代を設け、重ね代を用いて能力段数を切り替え制御する通常燃焼制御を行うことにより、能力段数の頻繁な切り替りによるハンチングが防止される。
【００１５】
従って、燃焼量範囲の異なる複数の能力段数を有するバーナユニットを備えた燃焼系統で燃焼運転が行われ、他の燃焼系統で燃焼運転が行われていないときに、流体温度が所定の第１基準温度より低くなって凍結の可能性がある場合、送風ファンの目標回転数を、通常燃焼制御における最大回転数から所定の低減量、低減させた上段側燃焼量範囲との重ね代の範囲内の凍結時最大回転数以下に制限すれば、重ね代の範囲内における燃焼量が要求されても、能力段数が維持されるから、燃焼運転が行われている燃焼系統におけるバーナユニットのハンチングを抑制しながら、燃焼運転が行われていない他の燃焼系統の凍結を防止することができる。
【００１６】
好ましくは、上記熱源装置において、
複数の燃焼系統のうち少なくとも１つの燃焼系統のバーナユニットは、燃焼量範囲の異なる複数の能力段数を有し、
制御装置は、複数の能力段数を有するバーナユニットを備えた燃焼系統で燃焼運転が行われる場合、低燃焼量側の下段側燃焼量範囲と、それに隣接する高燃焼量側の上段側燃焼量範囲との間に、下段側燃焼量範囲の最大燃焼量が上段側燃焼量範囲の最小燃焼量よりも多くなるように設けられた重ね代を用いて、能力段数を切り替え制御する通常燃焼制御を行い、
複数の能力段数を有するバーナユニットを備えた燃焼系統で燃焼運転が行われ、他の燃焼系統で燃焼運転が行われていないときに、燃焼運転が行われていない他の燃焼系統における流体温度検知部で検知される流体温度が所定の第２基準温度より低くなると、燃焼運転が行われている燃焼系統のバーナユニットに燃焼用空気を供給する送風ファンの目標回転数を、最大回転数よりも低い、上段側燃焼量範囲との重ね代の範囲以下の固定された凍結時最大回転数以下に制限する。
【００１７】
既述したように、複数の能力段数を有するバーナユニットを備える燃焼系統では、低燃焼量側の下段側燃焼量範囲と、それに隣接する高燃焼量側の上段側燃焼量範囲との間に、下段側燃焼量範囲の最大燃焼量が上段側燃焼量範囲の最小燃焼量よりも多くなるように重ね代を設け、重ね代を用いて能力段数を切り替え制御することにより、ハンチングが防止されている。
【００１８】
また、流体温度検知部で検知される流体温度が所定の第２基準温度より低くなって、凍結の可能性が高くなる場合、送風ファンの最大回転数をさらに低下させることにより、燃焼運転が行われていない他の燃焼系統に流入する空気を低減できる一方、上段側燃焼量範囲との重ね代の範囲よりも低い燃焼量に対応するファン回転数まで任意に低下させると、利用可能な下段側燃焼量範囲と上段側燃焼量範囲との間に大きな燃焼量の差が生じ、頻繁な能力段数の切り替りが生じる。
【００１９】
しかしながら、上記熱源装置によれば、流体温度が低下して凍結の可能性が高くなった場合、燃焼運転が行われている燃焼系統のバーナユニットを燃焼させるにあたって、バーナユニットに燃焼用空気を供給する送風ファンの目標回転数は、最大回転数よりも低い、上段側燃焼量範囲との重ね代の範囲以下の固定された凍結時最大回転数以下に制限される。それゆえ、下段側燃焼量範囲でバーナユニットを燃焼させている場合、上段側燃焼量範囲の最小燃焼量が要求されるまで能力段数が維持される。一方、バーナユニットを上段側燃焼量範囲で燃焼させているとき、下段側燃焼量範囲の固定された凍結時最大回転数に対応する燃焼量が要求されるまで、バーナユニットを上段側燃焼量範囲の最小燃焼量で燃焼させて能力段数が維持される。これにより、ハンチングをできるだけ抑えながら、燃焼運転が行われていない他の燃焼系統の凍結をより確実に防止することができる。
【発明の効果】
【００２０】
以上のように、本発明によれば、複数の燃焼系統を有する熱源装置において、燃焼運転が行われている燃焼系統と、燃焼運転が行われていない燃焼系統とがある場合に、実際に凍結が生じやすい燃焼運転が行われていない燃焼系統における流体流路の流体温度に基づいて凍結の可能性を判断するから、より的確に凍結の虞を予測することができる。そして、本発明によれば、凍結の可能性がある場合、燃焼運転が行われている燃焼系統に燃焼用空気を供給する送風ファンの目標回転数を、最大回転数よりも低下させた凍結時最大回転数に制限するから、送風ファンを回転させることによる燃焼運転が行われていない他の燃焼系統への空気の流入を抑えることができる。これにより、燃焼運転が行われていない燃焼系統の流体流路の凍結を効果的に防止することができる。
【図面の簡単な説明】
【００２１】
【図１】図１は、本発明の実施の形態に係る熱源装置の一例を概略構成図である。
【図２】図２は、本発明の実施の形態に係る熱源装置のバーナユニットの燃焼量とファン回転数との関係の一例を示す相関図である。
【図３】図３は、本発明の実施の形態に係る熱源装置で凍結の可能性がある場合に送風ファンの最大回転数を低下させるための設定値の一例を示すデータテーブルである。
【図４】図４は、本発明の実施の形態に係る熱源装置の制御動作の一例を示すフローチャートである。
【発明を実施するための形態】
【００２２】
以下、本発明の実施の形態に係る熱源装置を、浴室等に設けられたカラン等の給湯端末に湯水を供給する給湯運転と、浴槽内の湯水を加熱する追焚き運転と、温水暖房端末（床暖房機、温風暖房機等）に湯水を循環供給する暖房運転とを実行する暖房及び追焚き機能付き給湯装置に適用した場合を例に挙げて説明する。
【００２３】
図１は、本発明の実施の形態に係る熱源装置の一例を示す概略構成図である。熱源装置１は、例えば、屋内の地下室に設置され、給気口５に接続された給気筒６及び排気口７に接続された排気筒８を介して屋外に連通した筐体１０内に、２つの燃焼系統を備える缶体２０が配設された強制給排気式の熱源装置である。缶体２０の内部は、仕切り部２１で区画され、給湯側燃焼系統３０と、暖房・追焚き側燃焼系統４０とにより構成されている。
【００２４】
給湯側燃焼系統３０には、下から順に、給湯側バーナユニット３３、給湯側第１熱交換器３１、及び給湯側第２熱交換器３２が配置されている。給湯側第１熱交換器３１は、給湯側バーナユニット３３から放出される燃焼排気から顕熱を回収し、給湯側第２熱交換器３２は、給湯側バーナユニット３３から放出される燃焼排気から潜熱を回収する。
【００２５】
給湯側燃焼系統３０は、流体流路として、上水道に連通し、給湯側第２熱交換器３２の上流端に接続された給水路９０と、給湯側第２熱交換器３２の下流端及び給湯側第１熱交換器３１の上流端とを接続する連結路９５と、カラン等の給湯端末Ｐ１に連通し、給湯側第１熱交換器３１の下流端に接続された給湯路１００と、給水路９０と給湯路１００とをバイパスする給湯バイパス路１０５とを備える。この構成により、上水道から給水路９０に供給される水が、給湯側バーナユニット３３から放出される燃焼排気によって給湯側第２熱交換器３２及び給湯側第１熱交換器３１で熱交換加熱され、加熱された湯水が給湯路１００を介して給湯端末Ｐ１に供給される。また、給湯側第１熱交換器３１と給湯側第２熱交換器３２とを接続する連結路９５には、凍結防止用のヒータ４００，４０１が設けられている。
【００２６】
給湯路１００には、上流側から順に、給湯側第１熱交換器３１から出湯される湯水の温度を検知する熱交温度センサ１０１と、給湯バイパス路１０５との合流箇所より下流側に供給される湯水の温度を検知する出湯温度センサ１０３とが設けられている。これらの温度センサ１０１，１０３で検知された湯水の温度は、後述する制御回路Ｃ１に出力される。従って、これら熱交温度センサ１０１及び出湯温度センサ１０３が、給湯側燃焼系統３０における流体流路を流れる流体の温度を検知する流体温度検知部として機能する。さらに、給湯路１００には、凍結防止用のヒータ４０３，４０５が設けられている。
【００２７】
給湯側バーナユニット３３の下方には、送風ファン７０が設けられており、送風ファン７０の作動によって、給気口５から筐体１０内に吸入された屋外の空気が、給湯側バーナユニット３３及び後述する暖房側バーナユニット４３に燃焼用空気として供給されるとともに、給湯側バーナユニット３３及び暖房側バーナユニット４３から放出される燃焼排気が排気口７から排出される。なお、暖房側バーナユニット４３の下方にも送風ファンを設け、給湯側バーナユニット３３及び暖房側バーナユニット４３に個別に燃焼用空気を供給してもよい。
【００２８】
給湯側バーナユニット３３は、それぞれ複数本のバーナを有する３個の給湯側バーナブロック３３ａ，３３ｂ，３３ｃから構成されており、各給湯側バーナブロック３３ａ，３３ｂ，３３ｃは、図示しないガス供給路から分岐した給湯側ガス分岐路５２に接続されている。ガス供給路には、ガス供給路を開閉する元電磁弁５１が設けられている。給湯側ガス分岐路５２には、給湯側ガス分岐路５２の開度を変更する給湯側ガス比例弁５３と、給湯側バーナブロック３３ａ，３３ｂ，３３ｃへの燃料ガスの供給と遮断を個別に切り替える給湯側切換弁５４ａ，５４ｂ，５４ｃとが設けられている。従って、給湯側切換弁５４ａ，５４ｂ，５４ｃを選択的に開閉することにより、給湯側バーナユニット３３は燃焼量範囲の異なる能力段数のいずれかに切り替えられる。
【００２９】
給水路９０には、上流側から順に、給水路９０を流れる水の流量を検知する水量センサ９１と、給水路９０の開度を変更する水量サーボ９２と、給水路９０と給湯路１００を連通する給湯バイパス路１０５の開度を変更するバイパスサーボ９３とが設けられている。さらに、給水路９０には、凍結防止用のヒータ４０２，４０４，４０６が設けられている。
【００３０】
また、給湯路１００からは湯張り路２５０が分岐しており、湯張り路２５０は浴槽Ｐ２に接続された風呂戻り路２５１に連通している。風呂戻り路２５１は、風呂往き路２５２とともに浴槽Ｐ２と風呂熱交換器２２１との間で循環回路を構成している。
【００３１】
湯張り路２５０には、上流側から順に、湯張り路２５０を開閉する湯張り電磁弁２６１と、湯張り路２５０から給湯路１００への湯水の逆流を阻止するための逆止弁２６３と、給湯路１００から湯張り路２５０に供給される湯水の流量を検知する湯張り水量センサ２６２とが設けられている。さらに、湯張り路２５０には、凍結防止用のヒータ４０７が設けられている。
【００３２】
風呂戻り路２５１には、浴槽Ｐ２から風呂戻り路２５１に流入する湯水の温度を検知する風呂戻り温度センサ２２５と、浴槽Ｐ２内の湯水を風呂往き路２５２及び風呂戻り路２５１を介して循環させるための風呂ポンプ２２４と、浴槽Ｐ２内の湯水の水位を検知する水位センサ２２３と、風呂戻り路２５１に所定流量以上の湯水が流れていることを検知する風呂水流スイッチ２２２とが設けられている。また、風呂往き路２５２には、風呂熱交換器２２１から浴槽Ｐ２に流出する湯水の温度を検知する風呂往き温度センサ２２６が設けられている。さらに、風呂ポンプ２２４には、凍結防止用のヒータ４０８が設けられている。
【００３３】
暖房・追焚き側燃焼系統４０には、下から順に、暖房側バーナユニット４３、暖房側第１熱交換器４１、及び暖房側第２熱交換器４２が配置されている。暖房側第１熱交換器４１は、暖房側バーナユニット４３から放出される燃焼排気から顕熱を回収し、暖房側第２熱交換器４２は、暖房側バーナユニット４３から放出される燃焼排気から潜熱を回収する。
【００３４】
暖房・追焚き側燃焼系統４０は、流体流路として、暖房側第２熱交換器４２の上流端に接続された暖房戻り路２００と、暖房側第１熱交換器４１の下流端に接続された暖房往き路２１０と、暖房側第２熱交換器３２の下流端と暖房側第１熱交換器４１の上流端とをシスターン２０１を挟んで接続する連絡往き路２０５及び連絡戻り路２０６とを備える。
【００３５】
シスターン２０１には、給水路９０から分岐し、シスターン２０１に水を補充するための補水路２０４が接続されている。シスターン２０１と補水路２０４との接続部には、補水電磁弁２０３が設けられており、補水電磁弁２０３を開くことで、上水道から給水路９０に導入された水が供給される。また、補水路２０４には、凍結防止用のヒータ４０９が設けられている。
【００３６】
暖房往き路２１０は、高温暖房端末（温風暖房端末等）Ｐ３に接続されている。連絡戻り路２０６には、高温暖房端末Ｐ３と暖房・追焚き側燃焼系統４０との間で湯水を循環させるための暖房ポンプ２１１が設けられている。また、連絡戻り路２０６には、暖房ポンプ２１１より下流側の中間部から低温分岐路２１６が分岐し、低温暖房端末（床暖房等）Ｐ４を接続するための熱動弁ヘッダ２１２に繋がっている。さらに、暖房戻り路２００には、低温暖房端末Ｐ４からの湯水を戻す暖房戻り路２１７が接続されている。この構成により、暖房ポンプ２１１を作動させることで、暖房戻り路２００を流れる湯水が、暖房側バーナユニット４３から放出される燃焼排気によって暖房側第２熱交換器４２及び暖房側第１熱交換器４１で熱交換加熱され、加熱された湯水が暖房往き路２１０から各暖房端末Ｐ３，Ｐ４に循環供給される。
【００３７】
暖房往き路２１０には、暖房側第１熱交換器４１から出湯される湯水の温度を検知する暖房高温温度センサ２１３が設けられており、連絡往き路２０６には、シスターン２０１から低温分岐路２１６に供給される湯水の温度を検知する暖房低温温度センサ２１５とが設けられている。これらの温度センサ２１３，２１５で検知された湯水の温度は、後述する制御回路Ｃ１に出力される。従って、暖房高温温度センサ２１３及び暖房低温温度センサ２１５が、暖房・追焚き側燃焼系統４０における流体流路を流れる流体の温度を検知する流体温度検知部として機能する。
【００３８】
暖房側バーナユニット４３は、それぞれ複数本のバーナを有する２個のバーナブロック４３ａ，４３ｂから構成されており、各バーナブロック４３ａ，４３ｂは、ガス供給路から分岐した暖房側ガス分岐路６０に接続されている。暖房側ガス分岐路６０には、暖房側ガス分岐路６０の開度を変更する暖房側ガス比例弁６１と、バーナブロック４３ａ，４３ｂへの燃料ガスの供給と遮断を個別に切り替える暖房側切換弁６２ａ，６２ｂとが設けられている。従って、暖房側切換弁６２ａ，６２ｂを選択的に開閉することにより、暖房側バーナユニット４３は燃焼量範囲の異なる能力段数のいずれかに切り替えられる。
【００３９】
暖房往き路２１０から分岐した風呂分岐路２４０の途中には、既述した風呂熱交換器２２１が設けられている。風呂熱交換器２２１において、風呂往き路２５２内を流通する湯水と風呂分岐路２４０内を流通する湯水との間で熱交換（液−液熱交換）が行われ、風呂往き路２５２内を流通する湯水が加熱される。風呂分岐路２４０には、風呂分岐路２４０の開度を変更する追焚き流量制御弁２２０が設けられている。
【００４０】
給気口５近傍には、給気筒６を介して屋外から流入する空気（外気）の温度を検知する外気温センサ１１が設けられている。外気温センサ１１で検知された外気温は、制御回路Ｃ１に出力される。従って、外気温センサ１１が、外気温を検知する外気温検知部として機能とする。なお、外気温センサ１１は、屋外に設けられてもよいし、筐体１０の他の箇所に設けられてもよい。
【００４１】
筐体１０内に組み込まれた制御回路Ｃ１には、リモコン３０１が接続されており、使用者は、リモコン３０１を操作して、給湯運転における給湯温度、湯張り運転における湯張り温度、暖房運転における暖房温度、追焚き運転における追焚き温度等を設定することができる。また、図示しないが、制御回路Ｃ１には、送風ファン７０のファンモータ、元電磁弁５１、給湯側ガス比例弁５３、給湯側切換弁５４ａ，５４ｂ，５４ｃ、暖房側ガス比例弁６１、暖房側切換弁６２ａ，６２ｂ、給湯側バーナユニット３３及び暖房側バーナユニット４３の各炎孔近傍にて火花放電する点火電極、給湯側バーナユニット３３及び暖房側バーナユニット４３の点火を検知する炎検知センサ、水量センサ９１、水量サーボ９２、バイパスサーボ９３、補水電磁弁２０３、湯張り電磁弁２６１、湯張り水量センサ２６２、追焚き流量制御弁２２０、暖房ポンプ２１１、風呂水流スイッチ２２２、水位センサ２２３、風呂ポンプ２２４、シスターン２０１の水位電極、熱交温度センサ１０１、出湯温度センサ１０３、暖房高温温度センサ２１３、暖房低温温度センサ２１５、外気温センサ１１、風呂戻り温度センサ２２５、風呂往き温度センサ２２６、凍結防止用のヒータ４０１〜４０９が電気配線を通じて接続されている。
【００４２】
制御回路Ｃ１は、図示しないＣＰＵ、メモリ、インターフェース回路等により構成された電子回路ユニットであり、メモリに格納された熱源装置１の制御用プログラムをＣＰＵで実行することによって、熱源装置１の全体的な作動を制御する機能を果たす。また、制御回路Ｃ１のメモリには、各燃焼系統３０，４０で各種運転を行うにあたって、各バーナユニット３３，４３で要求される要求燃焼量を得るための燃料ガス供給量、及び燃料ガス供給量に応じた送風ファン７０の目標回転数の設定値を含むデータテーブルや後述する送風ファン７０の最大回転数を低下させるためのデータテーブルが格納されている。
【００４３】
例えば、暖房・追焚き側燃焼系統４０における暖房運転について説明すると、制御回路Ｃ１は、暖房高温温度センサ２１３及び暖房低温温度センサ２１５で検知される湯水の温度に応じて、暖房側バーナユニット４３で要求される要求燃焼量を演算し、その求めた要求燃焼量が得られるように、暖房側ガス比例弁６１の開度、及び暖房側切換弁６２ａ，６２ｂの開閉を制御することで、燃料ガス供給量（燃焼量）を制御し、且つ燃料ガス供給量に対応する燃焼用空気の供給量となるように送風ファン７０の目標回転数を制御して、通常燃焼制御を実行するように構成されている。
【００４４】
ここで、既述したように、本実施の形態の暖房側バーナユニット４３は燃焼量範囲の異なる複数の能力段数を有しており、暖房側バーナユニット４３の通常燃焼制御は、図２に示す燃焼量と送風ファン７０のファン回転数との相関関係に基づいて実行されるように構成されている。
【００４５】
具体的には、通常燃焼制御は、要求燃焼量に応じて、バーナブロック４３ａのみを燃焼させる低燃焼量側の第１段側燃焼量範囲Ｇ１と、両バーナブロック４３ａ，４３ｂを燃焼させる第１段側燃焼量範囲Ｇ１よりも高燃焼量側の第２段側燃焼量範囲Ｇ２とを選択的に切り替えて実行可能に構成されている。これにより、燃焼量を第１段から第２段までの広い燃焼量範囲で調整することができる。従って、図２から理解されるように、暖房側バーナユニット４３では、第１段側燃焼量範囲Ｇ１が低燃焼量側の下段側燃焼量範囲に対応し、第２段側燃焼量範囲Ｇ２が高燃焼量側の上段側燃焼量範囲に対応する。なお、３段以上の能力段数を有する場合、中段の能力段数は、それより低燃焼量側の能力段数に対しては上段側に該当し、それより高燃焼量側の能力段数に対しては下段側に該当する。
【００４６】
また、送風ファン７０の目標回転数は、各能力段数の第１段側及び第２段側最小燃焼量Ｇ１ｐ，Ｇ２ｐ並びに第１段側及び第２段側最大燃焼量Ｇ１ｑ，Ｇ２ｑに対応して、所定の燃焼用空気の供給量となるように、第１段側及び第２段側最小回転数Ｒ１ｐ，Ｒ２ｐ並びに第１段側及び第２段側最大回転数Ｒ１ｑ，Ｒ２ｑが設定されており、第１段側最大燃焼量Ｇ１ｑに対応する第１段側最大回転数Ｒ１ｑは第２段側最大燃焼量Ｇ２ｑに対応する第２段側最大回転数Ｒ２ｑよりも高く設定されている。このため、この暖房側バーナユニット４３の通常燃焼制御では、第１段側最大回転数Ｒ１ｑが送風ファン７０の最大回転数に対応する。さらに、図２に示すように、第１段側燃焼量範囲Ｇ１の第１段側最大燃焼量Ｇ１ｑは、第２段側燃焼量範囲Ｇ２の第２段側最小燃焼量Ｇ２ｐよりも多くなるように設定されている。これにより、隣接する能力段数の間に燃焼量範囲の重ね代が設けられている。
【００４７】
従って、要求燃焼量の増加に伴い、燃焼量を増加させる方向へ能力段数が切り替えられる場合について説明すると、暖房側切換弁６２ａのみを開弁して、バーナブロック４３ａのみを燃焼させた燃焼状態では、第１特性ラインＬ１に基づいて第１段側燃焼量範囲Ｇ１の範囲で燃焼量を増加させるべく暖房側ガス比例弁６１の開度を大きくしていくとともに、それに対応して送風ファン７０の目標回転数を増加させていく。そして、要求燃焼量が第１段側最大燃焼量Ｇ１ｑになり、送風ファン７０を第１段側最大回転数Ｒ１ｑで回転させると、さらに暖房側切換弁６２ｂを開弁して、両バーナブロック４３ａ，４３ｂを燃焼させる。このとき、暖房側バーナユニット４３全体への燃料ガス供給量は増加されているが、各バーナブロック４３ａ，４３ｂへ供給される燃料ガス供給量は減少するため、それに応じて送風ファン７０の目標回転数を減少させる。そして、さらに要求燃焼量の増加に従って、第２特性ラインＬ２に基づいて第２段側燃焼量範囲Ｇ２の範囲で燃焼量を増加させるべく、暖房側ガス比例弁６１の開度を大きくするとともに、送風ファン７０の目標回転数を増加させていく。なお、第１段側及び第２段側最小燃焼量Ｇ１ｐ，Ｇ２ｐ、並びに第１段側及び第２段側最大燃焼量Ｇ１ｑ，Ｇ２ｑは、暖房側バーナユニット４３の燃焼能力、能力段数、使用するバーナの特性などに基づいて適宜選択することができる。
【００４８】
一方、要求燃焼量の減少に伴い、燃焼量を減少させる方向へ能力段数が切り替えられる場合について説明すると、暖房側切換弁６２ａ，６２ｂを開弁して、両バーナブロック４３ａ，４３ｂを燃焼させた燃焼状態から、第２特性ラインＬ２に基づいて燃焼量を減少させるべく、暖房側ガス比例弁６１の開度を小さくしていくととともに、それに応じて送風ファン７０の目標回転数を減少させていく。そして、要求燃焼量が第２段側最小燃焼量Ｇ２ｐになり、送風ファン７０を第２段側最小回転数Ｒ２ｐで回転させると、暖房側切換弁６２ｂを閉弁して、バーナブロック４３ａのみを燃焼させる。このとき暖房側バーナユニット４３全体への燃料ガス供給量は減少されているが、バーナブロック４３ａへ供給される燃料ガス供給量は増加するため、それに応じて送風ファン７０の目標回転数を増加させる。そして、さらに要求燃焼量の減少に従って、第１特性ラインＬ１に基づいて燃焼量を減少させるべく、暖房側ガス比例弁６１の開度を小さくするとともに、送風ファン７０の目標回転数を減少させていく。なお、給湯側バーナユニット３３は、暖房側バーナユニット４３と、燃焼量範囲の異なる能力段数を異なる段数で有しているが、能力段数の切り替えは上記と同様である。
【００４９】
このように、低燃焼量側の下段側燃焼量範囲の最大燃焼量を、それに隣接する高燃焼量側の上段側燃焼量範囲の最小燃焼量よりも多く設定し、下段側燃焼量範囲と上段側燃焼量範囲との間に重ね代を設けることにより、各バーナユニット３３，４３の能力段数の頻繁な切り替わりを防止して、燃焼状態の安定化が図られ、ハンチングが防止される。
【００５０】
ところで、上記のような熱源装置１では、冬期において各流体流路内の湯水が凍結する可能性があるが、外気温に基づく凍結の可能性と湯水の温度に基づく凍結の可能性は必ずしも一致しない場合がある。そして、例えば、一方の暖房側・追焚き燃焼系統４０で燃焼運転が行われ、他方の給湯側燃焼系統３０で燃焼運転が行われていない場合、燃焼運転を行うために送風ファン７０を回転させると、燃焼運転が行われていない給湯側燃焼系統３０に空気が流入して流体流路内の湯水が凍結しやすくなる。特に、複数の燃焼系統３０，４０は、共通の給気筒６及び排気筒８を有する同一の缶体２０内に配設され、共通の送風ファン７０により燃焼用空気が供給されるため、凍結の可能性が高くなる。
【００５１】
このため、本実施の形態の熱源装置１では、暖房側・追焚き燃焼系統４０で燃焼運転が行われているが、給湯側燃焼系統３０で燃焼運転が行われていない場合、外気温センサ１１で検知される外気温だけでなく、熱交温度センサ１０１及び出湯温度センサ１０３で検知される湯水の温度にも基づいて凍結の可能性が判断され、凍結の可能性がある場合、これらの外気温及び湯水の温度に応じて送風ファン７０の最大回転数を低下させる。また、給湯側燃焼系統３０で燃焼運転が行われているが、暖房側・追焚き燃焼系統４０で燃焼運転が行われていない場合、同様に、外気温センサ１１で検知される外気温だけでなく、暖房高温温度センサ２１３及び暖房低温温度センサ２１５で検知される湯水の温度に基づいて凍結の可能性が判断され、凍結の可能性がある場合、これらの外気温及び湯水の温度に応じて送風ファン７０の最大回転数を低下させる。
【００５２】
例えば、暖房・追焚き側燃焼系統４０で暖房運転が行われ、給湯側燃焼系統３０で給湯運転が行われていないとき、外気温センサ１１で検知される外気温Ｔｈ、熱交温度センサ１０１で検知される湯水の温度Ｔａ、及び出湯温度センサ１０３で検知される湯水の温度Ｔｂに基づいて、給湯運転が行われていない給湯側燃焼系統３０の流体流路の凍結の可能性及びその程度を判断し、凍結の可能性がある場合、図３に示すデータテーブルに基づき、凍結の可能性の程度に応じて、暖房運転が行われている暖房・追焚き側燃焼系統４０における暖房側バーナユニット４３に燃焼用空気を供給する送風ファン７０の最大回転数を所定の低減量、低下させる。なお、図示しないが、給湯側燃焼系統３０で給湯運転が行われているが、暖房側・追焚き燃焼系統４０で暖房運転、追焚き運転がいずれも行われていない場合についても、同様のテータテーブルが設けられる。
【００５３】
図３を参照して、本実施の形態の熱源装置１における凍結の可能性及びその程度の判断並びに凍結の可能性がある場合の燃焼制御について概略的に説明すると、上記判断のために、外気温Ｔｈに対して複数（ここでは、第１〜第３領域の３段階）の凍結危険温度領域が設定され、湯水の温度Ｔａ，Ｔｂに対して複数（ここでは、第１〜第３領域の３段階）の基準温度領域が設定されている。そして、送風ファン７０の最大回転数を、外気温Ｔｈ及び湯水の温度Ｔａ，Ｔｂが属する温度領域に応じて設定されている所定の低減量で低下させる。例えば、外気温Ｔｈが−１０℃よりも低下したが、−１５℃以上であり、湯水の温度Ｔａ，Ｔｂが１０℃よりも低下したが、８℃以上である場合、通常燃焼制御において設定されている送風ファン７０の最大回転数を１０％低下させる。従って、図２に示すように、送風ファン７０の目標回転数を、通常燃焼制御における最大回転数（ここでは、第１段側最大回転数Ｒ１ｑ）（約３３０Ｈｚ）を１０％低下させた凍結時最大回転数Ｒｓｑ（１０％↓）（約３００Ｈｚ）以下に制限し、それに対応した各能力段数の燃焼量範囲で燃焼制御が行われる。なお、本実施の形態の暖房側バーナユニット４３のように複数の能力段数が設けられ、能力段数に応じて最大回転数が異なる場合、最大回転数を所定の低減量で低下させた凍結時最大回転数が、異なる能力段数の最大回転数よりも高くなることがある（例えば、凍結時最大回転数Ｒｓｑ（１０％↓）と第２段側最大回転数Ｒ２ｑ）。従って、この場合、通常燃焼制御における各能力段数の最大回転数が維持される。
【００５４】
同様に、外気温Ｔｈが−１５℃より低下したが、−２０℃以上であり、湯水の温度Ｔａ，Ｔｂが８℃よりも低下したが、６℃以上である場合、通常燃焼制御において設定されている送風ファン７０の最大回転数を２０％低下させる。従って、図２に示すように、送風ファン７０の目標回転数を、通常燃焼制御における最大回転数（約３３０Ｈｚ）を２０％低下させた凍結時最大回転数Ｒｓｑ（２０％↓）（約２７０Ｈｚ）以下に制限して燃焼制御が行われる。このように、凍結の可能性がある場合に、送風ファン７０の目標回転数を、通常燃焼制御における最大回転数を所定の低減量、低下させた、第１段側燃焼量範囲Ｇ１と第２段側燃焼量範囲Ｇ２との重ね代の範囲となる凍結時最大回転数Ｒｓｑ以下に制限すれば、第１段側燃焼量範囲Ｇ１で暖房側バーナユニット４３を燃焼させているとき、重ね代の範囲内における第２段側燃焼量範囲Ｇ２の燃焼量が要求されても、能力段数が維持される。従って、ハンチングを抑制しながら、燃焼運転が行われていない給湯側燃焼系統３０の凍結を防止することができる。
【００５５】
さらに、外気温Ｔｈが−２０℃より低下したが、−２５℃以上であり、湯水の温度Ｔａ，Ｔｂが６℃よりも低下したが、４℃以上である場合、通常燃焼制御において設定されている送風ファン７０の最大回転数を３０％低下させる。このとき、図２に示すように、暖房側バーナユニット４３の燃焼運転が低燃焼量側の第１段側燃焼量範囲Ｇ１で行われている場合、通常燃焼制御における最大回転数（約３３０Ｈｚ）を３０％低下させると、隣接する高燃焼量側の上段側燃焼量範囲との重ね代の範囲の最小回転数（約２６０Ｈｚ）よりも低くなる。そのため、重ね代の範囲以下の固定された凍結時最大回転数Ｒｓｑ（３０％↓）（約２３０Ｈｚ）を設定し、送風ファン７０の目標回転数を、固定された凍結時最大回転数Ｒｓｑ以下に制限して燃焼制御が行われる。これにより、第１段側燃焼量範囲Ｇ１で暖房側バーナユニット４３を燃焼させているとき、第２段側燃焼量範囲Ｇ２の最小燃焼量Ｇ２ｐが要求されるまで、固定された凍結時最大回転数Ｒｓｑで燃焼ファン７０が回転され、第１段側燃焼量範囲Ｇ１の能力段数が維持される。一方、第２段側燃焼量範囲Ｇ２で暖房側バーナユニット４３を燃焼させているとき、第１段側燃焼量範囲Ｇ１の固定された凍結時最大回転数Ｒｓｑに対応する燃焼量が要求されるまで、第２段側燃焼量範囲Ｇ２の最小燃焼量Ｇ２ｐで燃焼が行われ、第２段側燃焼量範囲Ｇ２の能力段数が維持される。従って、高燃焼量側及び低燃焼量側への能力段数の切り替わりを低減でき、ハンチングをできるだけ抑制しながら、燃焼運転が行われていない給湯側燃焼系統３０の凍結を確実に防止することができる。
【００５６】
なお、上記から理解されるように、本実施の形態で、凍結時最大回転数を上段側燃焼量範囲との重ね代の範囲内とする第１基準温度は、１０℃に設定されており、凍結時最大回転数を上段側燃焼量範囲との重ね代の範囲以下で固定する第２基準温度は６℃に設定されているが、これらを含めて凍結危険温度及び基準温度並びにそれらの温度領域は燃焼系統３０，４０の構造や送風ファン７０の能力に応じて適宜設定される。また、本実施の形態では、外気温及び湯水の温度はいずれも、第３領域までしか設定されていないが、熱源装置１の設置環境に応じて、さらに低い温度領域を設定してもよい。この場合、送風ファン７０の目標回転数は、固定された凍結時最大回転数以下に制限される。
【００５７】
このように、本実施の形態の熱源装置１によれば、例えば、暖房・追焚き側燃焼系統４０で暖房運転が行われ、給湯側燃焼系統３０で給湯運転が行われていないときに、外気温Ｔｈが所定の凍結危険温度より低くなる場合だけでなく、実際に凍結が生じやすい燃焼運転が行われていない給湯側燃焼系統３０の流体流路における湯水の温度Ｔａ，Ｔｂが所定の基準温度より低くなるかどうかも判断するから、より的確に燃焼運転が行われていない給湯側燃焼系統３０の流体流路の凍結の可能性を判断できる。しかも、外気温Ｔｈ及び流体流路内の湯水の温度Ｔａ，Ｔｂがいずれも複数に分割された凍結危険温度領域及び基準温度領域の範囲内にあるかどうかを判断するから、凍結の可能性の程度も判断できる。
【００５８】
そして、上記熱源装置１の通常燃焼制御では、各燃焼系統３０，４０におけるバーナユニット３３，４３に要求される要求燃焼量に応じて送風ファン７０を所定の最大回転数以下で回転させているが、例えば、暖房・追焚き側燃焼系統４０で暖房運転が行われ、給湯側燃焼系統３０で給湯運転が行われていないときに、上記外気温Ｔｈ、湯水の温度Ｔａ，Ｔｂに基づき凍結の可能性があると判断された場合、燃焼運転が行われている暖房・追焚き側燃焼系統４０に燃焼用空気を供給する送風ファン７０の目標回転数が、最大回転数よりも低下させた凍結時最大回転数以下に制限される。従って、送風ファン７０を回転させることによる燃焼運転が行われていない給湯側燃焼系統３０への空気の流入が抑えられ、給湯側燃焼系統３０の流体流路の凍結の可能性を低減できる。
【００５９】
また、本実施の形態では、凍結の可能性の程度が低い場合、送風ファン７０の目標回転数を、通常燃焼制御で設定されている最大回転数よりも低い、上段側燃焼量範囲との重ね代の範囲内の凍結時最大回転数以下に制限して燃焼制御が行われる。従って、例えば、暖房・追焚き側燃焼系統４０で暖房運転が行われ、給湯側燃焼系統３０で給湯運転が行われていないときに、暖房側バーナユニット４３のハンチングを防止しつつ、効果的に給湯側燃焼系統３０の流体流路の凍結を回避できる。
【００６０】
また、本実施の形態では、凍結の可能性の程度が高い場合、送風ファン７０の目標回転数を、通常燃焼制御で設定されている最大回転数よりも低い、上段側燃焼量範囲との重ね代の範囲以下の固定された凍結時最大回転数以下に制限して燃焼制御が行われる。従って、例えば、暖房・追焚き側燃焼系統４０で暖房運転が行われ、給湯側燃焼系統３０で給湯運転が行われていないときに、暖房側バーナユニット４３を下段側燃焼量範囲で燃焼させる場合、上段側燃焼量範囲の最小燃焼量が要求されるまで能力段数が維持され、暖房側バーナユニット４３を上段側燃焼量範囲で燃焼させる場合、下段側燃焼量範囲の固定された凍結時最大回転数に対応する燃焼量が要求されるまで、上段側燃焼量範囲の最小燃焼量で燃焼させて、能力段数が維持される。従って、暖房側バーナユニット４３のハンチングをできるだけ抑制しつつ、効果的に給湯側燃焼系統３０の流体流路の凍結を回避できる。
【００６１】
次に、本実施の形態の熱源装置１における暖房運転時の制御動作について、図４のフローチャートを参照して説明する。なお、以下では、暖房・追焚き側燃焼系統４０で暖房運転が行われ、給湯側燃焼系統３０で給湯運転が行われていないときの制御動作を例に挙げて説明するが、給湯側燃焼系統３０で給湯運転が行われ、暖房・追焚き側燃焼系統４０で暖房運転、追焚き運転がいずれも行われていないときの制御動作は、凍結の可能性の判断において、熱交温度センサ１０１で検知される湯水の温度Ｔａ及び出湯温度センサ１０３で検知される湯水の温度Ｔｂの代わりに、暖房高温温度センサ２１３及び暖房低温温度センサ２１５で検知される湯水の温度が用いられる以外は同様である。また、追焚き運転が行われる場合、風呂ポンプ２２４を作動させて、風呂往き路２５１及び風呂戻り路２５２で湯水を循環させる以外は、暖房運転と同様である。
【００６２】
例えば、使用者がリモコン３０１の暖房運転スイッチをオン操作すると、送風ファン７０及び暖房ポンプの作動が開始されて、暖房側バーナユニット４３の燃焼運転が開始される。そして、暖房運転が開始されると、まず給湯運転が行われているかどうかが判断される（ステップＳ１）。給湯運転が行われている場合、給湯側燃焼系統３０における流体流路の凍結の可能性は低いため、設定される暖房運転モードに従い、要求燃焼量に応じて送風ファン７０を所定の最小回転数と最大回転数の範囲で回転させる通常燃焼制御が実行される（ステップＳ７）。
【００６３】
給湯運転が行われていない場合、さらに外気温センサ１１で検知される外気温Ｔｈが、所定の凍結防止運転開始温度（例えば、３℃）以下であるかどうかが判断される（ステップＳ２）。外気温Ｔｈが凍結防止運転開始温度以下でなければ、同様に、給湯側燃焼系統３０における流体流路の凍結の可能性は低いため、通常燃焼制御が実行される（ステップＳ７）。
【００６４】
外気温Ｔｈが凍結防止運転開始温度以下になると、給湯側燃焼系統３０の流体流路に設けられた凍結防止用のヒータ４０１〜４０６に所定の時間間隔（例えば、オン／５分間−オフ／２５分間）で通電し、流体流路を加熱する凍結防止運転を開始させる（ステップＳ３）。なお、図示しないが、凍結防止運転は、外気温Ｔｈ及び湯水の温度Ｔａ，Ｔｂに応じて、通電時間の時間間隔が変更され、外気温Ｔｈが凍結防止運転開始温度より高くなると終了する。
【００６５】
次いで、外気温Ｔｈが所定の凍結危険温度（例えば、−１０℃）未満となり、熱交温度センサ１０１で検知される湯水の温度Ｔａ及び出湯温度センサ１０３で検知される湯水の温度Ｔｂの少なくともいずれか一方が所定の基準温度（例えば、１０℃）未満となると、図３のデータテーブルに基づき、外気温Ｔｈ及び湯水の温度Ｔａ，Ｔｂに応じて設定されている低減量を決定し、これらの低減量のうち、より回転数が低くなる最も大きな低減量に基づき、送風ファン７０の目標回転数を、凍結時最大回転数以下に制限する（ステップＳ４〜Ｓ６）。
【００６６】
このように、外気温Ｔｈに基づく送風ファン７０の最大回転数の低減量と、湯水の温度Ｔａ，Ｔｂに基づく送風ファン７０の最大回転数の低減量とが異なる場合、より大きな低減量を用いた凍結時最大回転数に制限することにより、一層確実に燃焼運転が行われていない給湯側燃焼系統３０における流体流路の凍結を回避することができる。
【００６７】
なお、既述したように、送風ファン７０の目標回転数を、上段側燃焼量範囲との重ね代の範囲以下の固定された凍結時最大回転数以下に制限する場合、暖房側バーナユニット４３が下段側燃焼量範囲で燃焼していれば、上段側燃焼量範囲の最小燃焼量が要求されるまで下段側燃焼量範囲で燃焼を継続させ、暖房側バーナユニット４３を上段側燃焼量範囲で燃焼させていれば、下段側燃焼量範囲の固定された凍結時最大回転数に対応する燃焼量が要求されるまで、上段側燃焼量範囲の最小燃焼量で燃焼を継続させる燃焼制御が行われる。
【００６８】
以上詳細に説明したように、本実施の形態によれば、複数の燃焼系統を有する熱源装置において、燃焼運転が行われている燃焼系統と、燃焼運転が行われていない燃焼系統とがある場合に、燃焼運転が行われていない燃焼系統における流体流路の凍結を効率よく防止することができる。
【００６９】
（その他の実施の形態）
（１）上記実施の形態では、流体流路の流体温度だけでなく、外気温にも基づいて凍結の可能性を判断しているが、流体温度だけに基づいて凍結の可能性を判断してもよい。
（２）上記実施の形態では、凍結の可能性を判断するにあたって、凍結危険温度及び基準温度が複数の凍結危険温度領域及び基準温度領域に分割されているが、温度領域とすることなく、所定の凍結危険温度及び基準温度を用いてもよい。
（３）上記実施の形態では、１つの缶体内に複数の燃焼系統が収容された熱源装置について説明したが、既述したように、各バーナユニット及び熱交換器を収容させた缶体を複数、組み合わせた熱源装置にも本発明を適用することができる。また、上記実施の形態では、複数の燃焼系統が共通の給排気経路を有する強制給排気式の熱源装置について説明したが、排気経路のみを共通にする強制排気式の熱源装置にも本発明を適用することができる。さらに、上記実施の形態では、暖房・追焚き機能付き給湯装置を例に挙げて説明したが、暖房機能付き給湯装置や追焚き機能付き給湯装置のように、複数の燃焼系統を有する熱源装置に本発明を適用することができる。
（４）上記実施の形態では、暖房・追焚き側燃焼系統の流体流路を流れる流体として湯水が用いられているが、不凍液を用いてもよい。
【符号の説明】
【００７０】
１              熱源装置
１１            外気温センサ（外気温検知部）
３０            給湯側燃焼系統
４０            暖房・追焚き側燃焼系統
３３            給湯側バーナユニット
３１            給湯側第１熱交換器
３２            給湯側第２熱交換器
４１            暖房側第１熱交換器
４２            暖房側第２熱交換器
４３            暖房側バーナユニット
７０            送風ファン
１０１          熱交温度センサ
１０３          出湯温度センサ
２１３          暖房高温温度センサ
２１５          暖房低温温度センサ
Ｃ１            制御回路
【図１】
2019007650.tif 000003
【図２】
2019007650.tif 000004
【図３】
2019007650.tif 000005
【図４】
2019007650.tif 000006